(57)【特許請求の範囲】
【請求項１】
所定の寸法の有底の円筒の母線に沿って、かつ中心軸線に関して対称的に一対のスリットを形成したカップ状の内筒と、この内筒の底面の中央部を貫通するように、かつ回動可能に装着されると共に、鍵孔を開口させた内筒と同軸のキーガイドと、内筒の直径方向に延在する細長い板状体で、その板厚方向を内筒の軸線方向に一致させた状態で軸線方向に沿って積層して配設され、中央部に鍵のブレードが遊嵌できる差込み穴を形成すると共に、長さ方向に付勢された複数枚のタンブラーと、内筒のスリットを覆うように装着され、タンブラーの端部を摺動可能に案内するスリットを内筒の母線方向に沿って複数個列設した一対のホルダーと、内筒とほぼ同じ長さの有底のカップ状の円筒体で、開口を相互に対向させるようにして内筒の外側に回動可能に被嵌され、タンブラーの端部と同幅のスリットの２対を９０度の角度間隔を保って形成した外筒と、外筒の底板に配設され、キーガイドに差込まれた鍵の先端部と係合するクラッチ手段とを有し、上記タンブラーの長さを内筒と外筒との間のシアーラインの直径に等しく設定すると共に、差込み穴の開口端縁の一部を鍵溝の谷部に当接する当接部とし、また、上記差込み穴の形状を、鍵の挿入時これと干渉せずに鍵の挿入を許容しかつ鍵の回動を許すと共に、鍵の所定方向への９０度の回動時、鍵溝の谷部がタンブラーの付勢力に抗して当接部を押動して各タンブラーの両端をシアーラインに揃えるように設定し、一方、外筒のクラッチ手段は、鍵の最初の９０度の回動時内筒及び外筒を残して鍵のみ遊動させ、鍵の更なる回動時、固定の内筒を残して鍵及び外筒を連結して一体に回動できるように作動することを特徴とするカップ錠。
【発明の詳細な説明】
【０００１】
【発明の属する技術分野】
この発明は、一般的なシリンダ錠よりもタンブラーの数を増大させ、鍵違いを多くしたした新規なカップ錠に関する。
【０００２】
【従来の技術】
本発明者等は、先に、特願平９−２３５３６８号を以て、従来のシリンダ錠よりも錠の軸線方向の寸法を小さくできる新規なカップ錠を提案した。
【０００３】
このカップ錠は、短い円筒の母線に沿って、かつ中心軸線に関して対称的に一対のスリットを形成すると共に、その円筒の一方の開口を覆うように取付対象物に固定される前面板を一体に結合してなるカップ状の内筒と、内筒とほぼ同じ長さの有底のカップ状の円筒体で、開口を相互に対向させるようにして内筒の外側に回動可能に被嵌され、内筒のスリットと同幅のスリットの２対を９０度の角度間隔を保って形成した外筒と、上記前面板の中央部を貫通するように、かつ回動可能に装着されると共に、鍵孔を開口させた内筒と同軸のキーガイドと、内筒の直径方向に延在する細長い板状体で、その板厚方向を内筒の軸線方向に一致させた状態で軸線方向に沿って積層して配設され、中央部に鍵のブレードが遊嵌できる差込み穴を形成すると共に、長さ方向に移動可能に案内されて同方向に付勢された複数枚のタンブラーと、外筒の底板に配設され、キーガイドに差込まれた鍵の先端部と係合するクラッチ手段とを有し、上記タンブラーの長さを内筒と外筒との間のシアーラインの直径に等しく設定すると共に、差込み穴の開口端縁の一部を鍵溝の谷部に当接する当接部とし、また、上記差込み穴の形状を、鍵の挿入時これと干渉せずに鍵の挿入を許容しかつ鍵の回動を許すと共に、鍵の所定方向への９０度の回動時、鍵溝の谷部がタンブラーの付勢力に抗して当接部を押動して各タンブラーの両端をシアーラインに揃えるように設定し、一方、外筒のクラッチ手段は、鍵の最初の９０度の回動時内筒及び外筒を残して鍵のみ遊動させ、鍵の更なる回動時、固定の内筒を残して鍵及び外筒を連結して一体に回動できるように作動することを特徴とするものである。
【０００４】
【発明が解決しようとする課題】
上記した本発明者等の先の提案に係るカップ錠は、従来のシリンダ錠よりも鍵の差込み方向の寸法、すなわち、錠の軸線方向の寸法を小さくするために開発されたものであるが、開示されたカップ錠においては、内筒内に植設した支柱によりタンブラーをその長さ方向、すなわち内筒の半径方向に案内している。
【０００５】
その為、タンブラーの長さが通常のシリンダ錠におけるタンブラーのそれよりも長くなり、換言すれば錠前の直径が従来のシリンダ錠よりも大きくなるので、規格でその外径が定められている建物用の錠前には適用しにくい、という恨みが残る。
【０００６】
そこで、この発明は、外筒の直径を従来のシリンダ錠のそれと同じように設定でき、もって建物用の錠前に適用可能にすると共に、タンブラーの数を増大させて鍵違いを従来のシリンダ錠よりも飛躍的に多くすることができるカップ錠を提供することを目的としている。
【０００７】
【課題を解決するための手段】
上記の目的を達成するため、この発明は、所定の寸法の有底の円筒の母線に沿って、かつ中心軸線に関して対称的に一対のスリットを形成したカップ状の内筒と、この内筒の底面の中央部を貫通するように、かつ回動可能に装着されると共に、鍵孔を開口させた内筒と同軸のキーガイドと、内筒の直径方向に延在する細長い板状体で、その板厚方向を内筒の軸線方向に一致させた状態で軸線方向に沿って積層して配設され、中央部に鍵のブレードが遊嵌できる差込み穴を形成すると共に、長さ方向に付勢された複数枚のタンブラーと、内筒のスリットを覆うように装着され、タンブラーの端部を摺動可能に案内するスリットを内筒の母線方向に沿って複数個列設した一対のホルダーと、内筒とほぼ同じ長さの有底のカップ状の円筒体で、開口を相互に対向させるようにして内筒の外側に回動可能に被嵌され、タンブラーの端部と同幅のスリットの２対を９０度の角度間隔を保って形成した外筒と、外筒の底板に配設され、キーガイドに差込まれた鍵の先端部と係合するクラッチ手段とを有し、上記タンブラーの長さを内筒と外筒との間のシアーラインの直径に等しく設定すると共に、差込み穴の開口端縁の一部を鍵溝の谷部に当接する当接部とし、また、上記差込み穴の形状を、鍵の挿入時これと干渉せずに鍵の挿入を許容しかつ鍵の回動を許すと共に、鍵の所定方向への９０度の回動時、鍵溝の谷部がタンブラーの付勢力に抗して当接部を押動して各タンブラーの両端をシアーラインに揃えるように設定し、一方、外筒のクラッチ手段は、鍵の最初の９０度の回動時内筒及び外筒を残して鍵のみ遊動させ、鍵の更なる回動時、固定の内筒を残して鍵及び外筒を連結して一体に回動できるように作動することを特徴とする。
【０００８】
【発明の実施の形態】
以下、図面に示す実施例に基いて、この発明について説明する。
図１において符号１は所定の寸法の有底円筒状の内筒を示し、この内筒１は、その一端（図１で左端）に形成された雄ねじ部１ａと螺合する雌ねじ部を有する図示しない取付筒及び化粧リングを介して、扉の外面に装着される。
【０００９】
ここで、内筒の所定の寸法とは、規格で定まっているシリンダ錠の外形寸法に近似した寸法を言い、ここでは内筒１の外径を約２４ｍｍ、長さを約４０ｍｍに設定してある。
【００１０】
また、図１において符号２は内筒１の外周に装着された有底円筒状の外筒で、この外筒２はその開口を内筒１の開口に対し相互に対向させるようにして内筒１の外側に回動可能に被嵌されている。
【００１１】
この外筒２が内筒１から抜け出ることを防止するため、また、内筒１と外筒２の相対回動角度を規制するため、図１及び図３に示すように、内筒１の外周部開口端付近にに植設された係止ピン３が外筒２の底面付近にその円周方向に沿って形成された係止溝４と摺動可能に係合している。
【００１２】
そのため、外筒２は内筒１の回りを約９０度回動できるが、それ以上の相対回動を規制されている。
【００１３】
一方、上記内筒１の底面中央部には、図１、図２及び図４に示すように、該内筒１の中心軸線の回りに回動可能なキーガイド５が装着してある。このキーガイド５は、例えば段付きのプラグ状をなし、正面から見て中央部には鍵孔６が穿設されている。
【００１４】
また、図２において符号７は鍵孔６に形成された突条で、図９に示す鍵（合鍵）８の凹溝９と係合し、鍵孔６のウォードを構成する。
【００１５】
更にまた、内筒１の中央部に嵌め込まれた可動のキーガイド５は、図１及び図４に示すように、Ｃリング１１によって離脱できないように固定されている。
【００１６】
後述するように、この発明におけるキーガイド５はその鍵孔６に差し込まれた合鍵８により固定の内筒１に対し１８０度の角度範囲で回動されることになるが、その回動の両端部で鍵５が抜き出された後に、キーガイド５が内筒１に対し回転方向にずれ動くと、次に合鍵８を差し込むときにキーガイド５に続く後述のタンブラーに対する差込みにおいて、支障を来たすことがある。
【００１７】
そこで、キーガイド５と内筒１の底面との間にクリック手段（図示しない）を設けるを可とする。クリック手段としては、板ばねを用いたもの、小球と圧縮コイルばねの組で成るものを採用することができる。
【００１８】
更に、図１に示すように、内筒１の内側には、その中心軸線と直交するようにして、細長い薄い板状の係止片であるタンブラー１２が複数枚設けてあり、これらのタンブラー１２、１２は、板厚方向を内筒の軸線方向に一致させた状態で軸線方向に沿って積層されている。
【００１９】
また、タンブラー１２は、各別に、内筒１に形成された貫通スリット１３、１３（図４及び図５参照）を覆うように内筒に装着される一対のホルダー１４、１４（図６、図１１及び図１２参照）により、内筒軸線方向における位置を規定されると共に、その長さ方向、すなわち内筒１の半径方向に移動可能に案内されている。
【００２０】
このようにして、各タンブラー１２は、その長さ方向においては一端部に形成された肩部１２ｃ（図１１参照）とホルダー１４の裏面との係合により長さ方向の移動の範囲が適切に制限され、厚さ方向においてはホルダー１４によってタンブラー１２、１２間の間隙を適切に設定されて長さ方向の移動の円滑さを保証されている。
【００２１】
すなわち、ホルダー１４は、図６及び図１１に示すように、内筒１の段付の貫通スリット１３の開口部を覆う段付の湾曲した板状体で、ねじ止め或いは接着により内筒１に装着されたとき、その外面が内筒１の外面に滑らかに接続して円筒外周面を形成するようにその平面形状が設定されている。
【００２２】
このホルダー１４の中央部には、図６に示すように、ホルダー１４を厚さ方向に貫通し、タンブラー１２の端部と摺動可能に係合する案内スリット１５、１５が軸線方向に列設されている。
【００２３】
ちなみに、図示のようにタンブラー１２、１２を設け、タンブラーの板厚を０．５ｍｍ、積層間隔を０．５ｍｍとした場合、通常の規格のシリンダ錠の寸法内に２５枚以上のタンブラーを収納することができる。これは通常のシリンダ錠の３倍である。
【００２４】
なお、ホルダー１４を金属材料で構成するときには精密鋳造により製造するのが好適であり、合成樹脂材料の場合には射出成形により容易に製造することができる。
【００２５】
一方、各タンブラー１２は、固定の内筒１と可動の外筒２との間に形成されるシアーラインＳ（図１１及び図１２参照）の直径分に相当する長さを有している。
【００２６】
なお、各タンブラー１２の両端は、円弧状のシアーラインＳに合せて同形の円弧の一部をなすように成形するを可とする（図７参照）。
【００２７】
また、各タンブラー１２は、鍵孔６に合鍵８を差し込んでいない自由状態においては（この際カップ錠としては解錠状態であっても施錠状態であったもよい）、一端１２ａを内筒１に１８０度の角度間隔を隔てて設けた２つの案内スリット１５、１５の１つを通じ、外筒２に９０度の角度間隔を隔てて設けた４つの係合スリット１６，１６（図１１参照）の１つに係合させてある。
【００２８】
更にまた、合鍵８の９０度の回動操作時、該タンブラー１２の両端１２ａ、１２ｂがシアラインＳに合致して、係合スリット１６に対するタンブラー１２の係合（係止) が解かれるようにしてある。
【００２９】
なお、上記の案内スリット１５及び係合スリット１６は、それぞれ内筒１及び外筒２の母線方向に沿って形成するものとし、各スリット１５、１６の幅（円周方向の寸法）は、タンブラー１２の両端の幅寸法よりやや大きく設定してある。
【００３０】
また、図示例のタンブラー１２の他端部には、図７及び図８に示すように、塑性加工によってばね掛け突起１７が裏面側に突設されている。
【００３１】
そして、図１１に示すように、２つで対をなすようにして装着した１組のタンブラー１２、１２間に、共通のタンブラーばね１８としての開脚ばねが掛け渡してある（図１１及び図１２参照）。
【００３２】
このタンブラーばね１８は、中間にコイル部を形成し、両端に上記ばね掛け突起１７に巻装されるループを形成したばね部材で、左右で互いに逆向きに装着した各タンブラー１２の一端１２ａが外筒２の胴部に向かうように付勢させてある。
【００３３】
なお、１組のタンブラー１２、１２において、それらを左右で互いに逆向きに装着した理由は、図９に示すように、細長い板状の合鍵８のブレードにおける両側辺に鍵溝１９、１９を設けたためである。
【００３４】
次に、タンブラー１２の構造について更に詳細に説明すると、各タンブラー１２の中央部には、図７に示すように、合鍵８が差し込まれる例えばＤ字形の差込み穴２１が開口しており、その差込み穴２１は、合鍵８の回動操作時そのブレードの回転方向の移動軌跡と干渉しないように形成された逃がし部２２、及びブレードの一側辺又は他側辺に設けた鍵溝１９の谷部１９ａと当接する直線状の当接部２３から形成されている。
【００３５】
一方、キーガイド５に挿入される合鍵８の側面に現われる鍵溝１９の形状は、図９に示すように、タンブラー１２の板厚よりもやや幅広の矩形の溝となる。
【００３６】
図９から明らかなように、本発明によるカップ錠の鍵は、通常の鍵のように鍵溝の両側に傾斜部を形成する必要がないので、その分鍵溝の数を多くすることができ、換言すればタンブラーの数が多くなって（約３倍）、その分鍵違いが飛躍的に増大する。
【００３７】
なお、合鍵８の鍵溝１９における谷部１９ａは、その横断面において外に凸の円弧とするとよい［図９(Ｂ)参照］。その円弧の半径は、鍵８の回転中心点Ｒから谷部１９ａに至る距離に設定するを可とする。
【００３８】
前記のように谷部１９ａを円弧面に形成した鍵８によれば、この円弧面とタンブラーの当接部２３とが相互に当接して係合した状態では鍵８の僅かの左右方向への回動に対して当接部２３、すなわちタンブラー１２は動かないので、後述の外筒２の回動がスムーズになる。
【００３９】
タンブラーの説明に戻って、タンブラー１２の種類は例えば次に述べるようにして複数種定めるものとする。
【００４０】
すなわち、差込み穴２１の形状、大きさを固定すると共に、差込み穴２１及び肩部１２ａの相対関係位置を固定し、タンブラー１２が内筒１に装着された状態において合鍵８の回転中心点Ｒが差込み穴２１内に存在し、しかもこの点Ｒと当接部２３との距離が鍵のブレードの板厚の半分よりもやや大きくなるように設定する。
【００４１】
このようにしたタンブラー１２、１２を左右反対にして内筒に装着すると、図１１に示すように、内筒軸線方向に列設された当接部２３、２３の端縁が鍵のブレードのガイド孔、すなわち従来のシリンダー錠の鍵孔と同様の機能を発揮し、鍵８の差込みをスムーズにする。
【００４２】
そして、対応する鍵溝１９の深さに応じて、鍵８が９０度回動したときタンブラー１２の両端がシアーラインＳに合致するように当接部２３と一端の基準点Ｑとの距離を定め、次いでタンブラー１２の他端の端縁位置をシアーラインＳの直径分一端から離間するように定める。
【００４３】
または、タンブラーの外形を同形にすると製作上及び管理上便利である、との考えから出発すれば、その外形（図７参照）を固定し、対応する鍵溝１９の深さに応じて、差込み穴２１、肩部１２ｃの相対位置関係を固定した状態で図７においてこれらを左右にずらせて開口させる。
【００４４】
これら２つのタンブラー設定方法は結局同じであって、この場合当接部２３を鍵孔の一部として使用できる。
【００４５】
また、タンブラーの外形、及びこのタンブラーの外形輪郭に対する肩部１２ｃの相対関係位置を一定にし、鍵溝１９の深さに応じて差込み穴２１の位置のみを変化させてもよい。
【００４６】
上記のようにタンブラーを形成することにより、差し込まれた合鍵８を当初の第１位置（図１０及び図１１参照）から例えば図１１の矢印Ａのように時計方向に９０度回動させると、全タンブラー１２、１２は、タンブラーばね１８の弾力に抗して、図１２に示すように変位し、各タンブラー１２の両端１２ａ、１２ｂが内筒１と外筒２との間のシアラインＳに共に合致することになる。
【００４７】
一方、キーガイド５を通じてカップ錠に挿し込まれた合鍵８の先端部は、図１０に示すように、内筒１及び複数のタンブラー１２、１２を貫通し、外筒２の後方側の底板２４に設けたクラッチ手段２５に嵌め込まれている。
【００４８】
図示例のクラッチ手段２５は、図３に明示するように、外筒２の底板２４に穿設しただるま状のクラッチ穴で、そのクラッチ穴は合鍵８の回動操作においてブレード先端を逃がす遊動部２６及びシャンクの側面が当接する衝接部２７から成る。
【００４９】
そこで、鍵を第１位置から図１２に示す第２位置に回動させる間は、ブレードの先端は外筒２に対してはそのクラッチ手段２５の遊動部２６の存在により空動きすることになるので、ブレードはその鍵溝１９において内筒１内のタンブラー１２、１２のみを作動させ、全タンブラーの両端１２ａ、１２ｂをシアラインＳに合致させることになる。
【００５０】
したがって、タンブラー１２の端部を介しての内筒１及び外筒２の相互の係合が解け、可動の外筒２は固定の内筒１に対して相対回動が可能となる。
【００５１】
そこで、前記の合鍵８を第２位置（図１２参照）から更に矢印Ｂのように時計方向に９０度の角度を回動させると、ブレードの先端における側面でクラッチ手段２５の衝合部２７が押されることになり、外筒１は同方向に回動し、同時に第３位置（当初の第１位置から１８０度動した位置）においてブレードの鍵溝１９は各タンブラー１２との嵌まり合いの状態から完全に外れることになる。
【００５２】
従って、内筒１内の全タンブラー１２の一端１２ａは、タンブラーばね１８の付勢力により該内筒１の案内スリット１５から再び突出し、外筒２の係合スリット１６に係合するので、外筒２は内筒１に対し回動不能に係止される。そして、合鍵８はこの第３位置で抜き出される。
【００５３】
また、合鍵８を第２位置から第３位置に回動させている間に、鍵５のブレードの先端と係合する図示しないデッドカム錠機構によって扉口が施解錠される。
【００５４】
前記のように谷部１９ａを円弧面に形成した合鍵によれば、その合鍵の回動によりシアラインＳに位置するタンブラー１２の一方の端部１２ａを外筒２の係合スリット１６の１つに係合させる時、その初動のわずかな角度範囲では各タンブラー１２を静止させることになるので、突出する一端１２ａが外筒２の係合スリット１６の縁部に衝突したりすることがなく、この折のタンブラー１２の動きをスムーズにすることができる。
【００５５】
次に、この発明のカップ錠の作用について説明する。
図１は固定の内筒１に対し複数のタンブラー１２、１２をもって回転可能な外筒２が係止されている状態を示している。
【００５６】
この外筒２が係止された状態では、カップ錠は解錠状態であっても、或いは施錠状態であってもよい。説明の都合上、図１の状態はカップ錠が解錠状態にあるものとして、その施錠作用について以下に述べる。
【００５７】
図１０及び図１１は、図１の錠における可動のキーガイド５の鍵孔６に対し合鍵８を単に差し込んだ状態を示している。合鍵８の鍵溝１９には、図９に示すように、タンブラー１２、１２をスムーズに誘導するための傾斜案内部を要しない。
【００５８】
合鍵８が差し込まれた当初の位置である第１位置では、そのブレードは、一端１２ａが外筒２の係合スリット１６に係合された全タンブラー１２、１２の差込み穴２１、２１に挿通され、ブレードの先端は外筒２の底板２４に設けたクラッチ手段２５に差し込まれている。
【００５９】
この第１位置にある合鍵８を例えば図１１の矢印Ａのように時計方向に回動させると、ブレードの先端は不動な状態に係止された外筒２の底板２４におけるクラッチ手段２５によって遊動する一方で、ブレードの側端縁は鍵溝１９の溝をもって各タンブラー１２の差込み穴２１における当接部２３部分に櫛のように差し込まれる。
【００６０】
合鍵が第１位置から９０度回動された第２位置に至る間に、鍵溝１９の各谷部１９ａは対応するタンブラー１２の差込み穴２１における直線的な当接部２３を押圧する。
【００６１】
そして、図１２に示すように、回動操作された合鍵８が第２位置に達すると、タンブラーばね１８に抗して押し動かされた各タンブラー１２が両端１２ａ、１２ｂを共にシアラインＳに合致させ、各タンブラー１２による外筒２の係合スリット１６に対する係合が解かれるので、外筒２は内筒１に対し回動可能な状態となる。
【００６２】
次いで、第２位置に存する合鍵を図１２の矢印Ｂのように更に時計方向に回動させると、ブレードの先端はクラッチ手段２５を介して接続されている回動可能な状態の外筒２と共に回動し、鍵５が９０度回動された第３位置においては、タンブラーばね１８の弾力により、各タンブラー１２の一端１２ａが再び外筒２の係合スリット１６に係合する。
【００６３】
合鍵８を第２位置から第３位置に回動操作させる間に、合鍵のブレードの先端により錠止機構（図示しない）が作動し、もって扉口が施錠される。施錠後は合鍵８をキーガイド５から抜き取る。
【００６４】
また、施錠状態にあるこのカップ錠を解錠させるには、キーガイド５の鍵孔６を通じて合鍵８を差込み、そこにおいて第３位置を占める合鍵８を施錠時とは逆向きの反時計方向に１８０度回動させると、鍵８は第２位置を経て第１位置に至るので、そこで合鍵８を抜き出せばよい。この間に各部材は施錠時に準じて作動し、図１の解錠状態に復帰する。
【００６５】
【発明の効果】
以上に説明したこの発明のカップ錠によれば、係止状態にある外筒を回動可能にするために各タンブラーの両端を共にシアラインに合致させるについて、各タンブラーのシアラインに対する整合作用は、鍵の当初の差込み位置から右又は左に９０度回動させることにより行うことができるようにしてあるから、鍵溝における溝の前後に案内斜面は設ける必要がなく、従って、内筒内に装着される複数のタンブラーにおける隣り合う２つのタンブラー間の間隔は十分に小さくすることができる。
【００６６】
そのため、一定の長さの内、外筒内に、従来に少なくとも２〜３倍の枚数のタンブラーを収納することができ、鍵違いを格段に増大させることができる、という効果を奏する。
【図面の簡単な説明】
【図１】この発明のカップ錠の実施例を示す部分縦断側面図。
【図２】その正面図。
【図３】その背面図。
【図４】図１のカップ錠から取り外した内筒の平面図。
【図５】図１のカップ錠から取り外した内筒の側面図。
【図６】ホルダーの裏面図。
【図７】タンブラーの平面図。
【図８】タンブラーの側面図。
【図９】  図１のカップ錠に対して用いられる合鍵の一例を示す図で、（Ａ）は側面図、（Ｂ）はそのブレードの横断面図である。
【図１０】図１のカップ錠に鍵を差し込んだ状態で示す部分縦断側面図で、鍵は第１位置にある。
【図１１】図１０に示すカップ錠の横断正面図で、鍵は第１位置にある。
【図１２】鍵を当初の第１位置から右回りに９０度回動させた第２位置を占めるようにして示したカップ錠の横断正面図。
【符号の説明】
１  内筒
２  外筒
３  係止ピン
４  係止溝
５  キーガイド
６  鍵孔
８  合鍵
１２  タンブラー
１２ａ  一端
１２ｂ    他端
１２ｃ    肩部
１３  貫通スリット
１４  ホルダー
１５  案内スリット
１６  係合スリット
１７  ばね掛け突起
１８  タンブラーばね
１９  鍵溝
１９ａ  谷部
２１  差込み穴
２２  逃がし部
２３  当接部
２４  底板
２５  クラッチ手段
２６  遊動部
２７  衝接部
Ｑ  基準点
Ｒ  中心
Ｓ  シアーライン
【図１】
0004181671.tif 000002
【図２】
0004181671.tif 000003
【図３】
0004181671.tif 000004
【図４】
0004181671.tif 000005
【図５】
0004181671.tif 000006
【図６】
0004181671.tif 000007
【図７】
0004181671.tif 000008
【図８】
0004181671.tif 000009
【図９】
0004181671.tif 000010
【図１０】
0004181671.tif 000011
【図１１】
0004181671.tif 000012
【図１２】
0004181671.tif 000013